(57)【要約】【課題】吸収体が脚周りにフィットするように曲がり易くするとともに、股下部分の中央部の吸収体がヨレ難くすることによって、股下部分にフィットし、脚の付け根からの漏れを確実に防止する。【解決手段】吸収体４は、生理用ナプキン１の略長手方向全長に亘って配置される第１吸収体４１と、第１吸収体４１の使用面側であって着用者の股下部に相当する部位に、側端部が第１吸収体４１の両側縁よりも外部に突出するとともに、該外部に突出した吸収体部分が脚周り用吸収体部分４Ｂを構成する第２吸収体４２と、さらに第２吸収体４２の使用面側であって、着用者の股下部に相当する部位に、第１吸収体４１の両側縁よりも幅広でかつ第２吸収体４２より幅狭の寸法で配置された第３吸収体４３とから構成する。前記第２吸収体４２としては、第１吸収体４１よりも剛軟度が低いものを用いる。【選択図】図１
2008161251.tif 000002
【特許請求の範囲】
【請求項１】
透液性表面シートと裏面シートとの間に吸収体が介在され、該吸収体は装着状態でショーツ内部に位置決めされる吸収体部分の他に、ショーツよりも外部に露出し、着用者の脚付け根部分を覆う左右一対の脚周り用吸収体部分を備えた吸収性物品において、
前記吸収体は、前記吸収性物品の略長手方向全長に亘って配置される第１吸収体と、前記第１吸収体の使用面側であって着用者の股下部に相当する部位に、側端部が前記第１吸収体の両側縁よりも外部に突出するとともに、該外部に突出した吸収体部分が前記脚周り用吸収体部分を構成する第２吸収体とから構成されることを特徴とする吸収性物品。
【請求項２】
前記第２吸収体の使用面側であって、着用者の股下部に相当する部位に、前記第１吸収体の両側縁よりも幅広でかつ前記第２吸収体より幅狭の寸法で配置された第３吸収体を備える請求項１記載の吸収性物品。
【請求項３】
前記第２吸収体は、前記第１吸収体よりも剛軟度が低いものを用いている請求項１記載の吸収性物品。
【請求項４】
前記第２吸収体は、平面視で幅方向両端縁の中央部が、脚の丸みに沿うように窪ませた曲線形状となっている請求項１〜３いずれかに記載の吸収性物品。
【請求項５】
前記第２吸収体は、平面視で前記吸収性物品の前後端縁の中央部が内方側に窪ませた曲線形状となっている請求項１〜４いずれかに記載の吸収性物品。
【請求項６】
前記第３吸収体は、平面視で幅方向両端縁が外側に膨出した形状とされる請求項２〜５いずれかに記載の吸収性物品。
【請求項７】
前記吸収性物品の使用面側に長手方向に沿って立体ギャザーが形成されるとともに、該立体ギャザーは股下部において前記第３吸収体の側縁よりも外側位置であって、かつ前記第２吸収体の脚周り用吸収体部分の上面を縦断するように配置されている請求項１〜６いずれかに記載の吸収性物品。
【請求項８】
前記吸収性物品の裏面側中央に、長手方向に沿って所定幅で本体ズレ止め粘着剤層が形成されるとともに、股下部に相当する部位において左右それぞれに、外方側端部が前記裏面シートに剥離不能に固着されたショーツ固定用フラップが設けられるとともに、該ショーツ固定用フラップの先端部に粘着剤又は機械的ファスナー手段が設けられ、左右対のショーツ固定用フラップの先端同士が接合可能となっている請求項１〜７いずれかに記載の吸収性物品。
【請求項９】
前記第２吸収体の脚周り用吸収体部分の少なくとも先端側部分に、該脚周り用吸収体部分の上面を覆う撥水性不織布が配設されている請求項１〜８いずれかに記載の吸収性物品。
【請求項１０】
前記第２吸収体の脚周り用吸収体部分の少なくとも先端側部分に、該脚周り用吸収体部分の上面から裏面にかけて不透液性フィルムが配設されている請求項１〜８いずれかに記載の吸収性物品。
【請求項１１】
前記第２吸収体は、中央に間を空けた状態で、左右それぞれの側に分割して配置されている請求項１〜１０いずれかに記載の吸収性物品。
【請求項１２】
少なくとも股下部分において、前記第１吸収体の密度が第２吸収体の密度よりも高く設定されている請求項１〜１１いずれかに記載の吸収性物品。
【請求項１３】
前記第１吸収体と第２吸収体との間であって、前記第１吸収体の長手方向に沿って拡散性の高い部材が配設されている請求項１〜１２いずれかに記載の吸収性物品。
【請求項１４】
前記第１吸収体と前記第２吸収体との積層領域又は前記第３吸収体の配設領域において、上面側からエンボスが施されている請求項１〜１３いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、特に脚の付け根からの漏れを確実に防止した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布又は透液性プラスチックシートなどの透液性表面シートとの間に粉砕パルプ等の紙綿からなる吸収体を介在したものが知られている。
【０００３】
これらの吸収性物品は、体液等の漏れを防止するために、例えば下記特許文献１，２に示されるように、吸収体を身体にフィットさせるため吸収体表面に可撓軸ラインを施したものが知られている。具体的には、下記特許文献１では、着用時に、吸収体が、着用者の肌に向かって曲面状に突出した形状に変形し、優れたフィット性及び防漏性を得ることを目的として、吸収体の幅方向中央部における裏面シート側の面に凹部を有すると共に、該凹部の両側に位置する部分の表面シート側の面に、長手方向に延びる一対の溝を有するようにしている。
【０００４】
また、下記特許文献２では、前部域が不適切に捩れることなく第一および第二可撓軸に沿って変形して着用者の身体にぴったりとフィットさせることを目的として、表面側の前部域に、横軸の方向に互いに離間して縦軸の方向へ延びる一対の第一および第二可撓軸が吸収性パッドの前部域に独占的に位置するようにしている。
【特許文献１】特開２００６−１１５９９６号公報
【特許文献２】特開２００６−１４９５７１号公報
【発明の開示】
【発明が解決しようとする課題】
【０００５】
しかしながら、上記特許文献１記載の吸収性物品では、表面シート側の面に長手方向に延びる一対の溝を有するようにしているため、この溝から容易に変形することができるが、吸収体の幅方向中央部における裏面シート側の面に凹部を有するため、吸収体中央部のコシが小さくなり、吸収体中央部でヨレが生じやすく、身体との間に隙間ができ、体液が漏れ出るおそれがあった。また、脚周りからの漏れに対して何ら対策が施されていなかった。
【０００６】
また、上記特許文献２記載の吸収性パッドでは、吸収性パッドの前部側が可撓軸に沿って変形し、脚周りからの漏れに対しても対策が施されているが、吸収体の全面に亘って吸収体の剛軟度がほぼ均一であるため、脚周りの動きに対して追従性が悪かったり、ゴワ付き感などが生じたりするおそれがあった。さらに、所定以上の外力が加わると、可撓軸ライン以外の部分、特に吸収体中央部でもヨレが生じやすくなり、これによって、吸収性物品が身体に密着せず、体液が漏れ出る問題があった。
【０００７】
そこで、本発明の主たる課題は、吸収体が脚周りにフィットするように曲がり易くするとともに、股下部分の中央部の吸収体をヨレ難くすることによって、股下部分にフィットし、脚の付け根からの漏れを確実に防止することにある。
【課題を解決するための手段】
【０００８】
前記課題を解決するために請求項１に係る本発明として、透液性表面シートと裏面シートとの間に吸収体が介在され、該吸収体は装着状態でショーツ内部に位置決めされる吸収体部分の他に、ショーツよりも外部に露出し、着用者の脚付け根部分を覆う左右一対の脚周り用吸収体部分を備えた吸収性物品において、
前記吸収体は、前記吸収性物品の略長手方向全長に亘って配置される第１吸収体と、前記第１吸収体の使用面側であって着用者の股下部に相当する部位に、側端部が前記第１吸収体の両側縁よりも外部に突出するとともに、該外部に突出した吸収体部分が前記脚周り用吸収体部分を構成する第２吸収体とから構成されることを特徴とする吸収性物品が提供される。
【０００９】
上記請求項１記載の本発明では、吸収体が吸収性物品の略長手方向全長に亘って配置される第１吸収体と、前記第１吸収体の使用面側であって着用者の股下部に相当する部位に、側端部が前記第１吸収体の両側縁よりも外部に突出するとともに、該外部に突出した吸収体部分が前記脚周り用吸収体部分を構成する第２吸収体とからなるため、前記第２吸収体の脚周り用吸収体部分を構成する部分が脚周りにフィットするように曲がり易くなり、脚の付け根からの漏れを確実に防止できるようになる。
【００１０】
請求項２に係る本発明として、前記第２吸収体の使用面側であって、着用者の股下部に相当する部位に、前記第１吸収体の両側縁よりも幅広でかつ前記第２吸収体より幅狭の寸法で配置された第３吸収体を備える請求項１記載の吸収性物品が提供される。
【００１１】
上記請求項２記載の本発明では、前記第３吸収体が備えられることにより、股下部の剛度が向上し股下部分の中央部にヨレが生じ難くなるとともに、前記第３吸収体の両側縁が脚の付け根部分に密着して、体液の伝い漏れが低減できる。さらに、前記第１吸収体の両側縁より幅広に形成された前記第３吸収体の両側縁が下側に押し付けられることにより、前記第２吸収体の折れ曲がりが容易となる。
【００１２】
請求項３に係る本発明として、前記第２吸収体は、前記第１吸収体よりも剛軟度が低いものを用いている請求項１記載の吸収性物品が提供される。
【００１３】
上記請求項３記載の本発明では、前記第２吸収体として、前記第１吸収体よりも剛軟度が低いものを用いることにより、使用時に第２吸収体が脚周りに沿って曲がり易くなる。また、股下部分に押付け力が作用しても、剛軟度が低い第２吸収体が変形することによって前記押付け力を吸収し、比較的剛軟度が高い中央部において、ヨレが生じ難くなる。
【００１４】
請求項４に係る本発明として、前記第２吸収体は、平面視で幅方向両端縁の中央部が、脚の丸みに沿うように窪ませた曲線形状となっている請求項１〜３いずれかに記載の吸収性物品が提供される。
【００１５】
上記請求項４記載の本発明では、第２吸収体は、平面視で幅方向両端縁の中央部が、脚の丸みに沿うように窪ませた曲線形状となっているため、脚の曲線に沿ってフィットし、確実に漏れが防止できる。
【００１６】
請求項５に係る本発明として、前記第２吸収体は、平面視で前記吸収性物品の前後端縁の中央部が内方側に窪ませた曲線形状となっている請求項１〜４いずれかに記載の吸収性物品が提供される。
【００１７】
上記請求項５記載の本発明では、第２吸収体は、平面視で前記吸収性物品の前後端縁の中央部が内方側に窪ませた曲線形状となっているため、股下部分の吸収体は、幅方向に対して中央部の剛軟度が最も低く形成され、使用時に、幅方向中央部を基点として使用面側に凸に湾曲した形状に変形し、吸収体が身体に密着した状態が維持できる。
【００１８】
請求項６に係る本発明として、前記第３吸収体は、平面視で幅方向両端縁が外側に膨出した形状とされる請求項２〜５いずれかに記載の吸収性物品が提供される。
【００１９】
上記請求項６記載の本発明では、第３吸収体が平面視で幅方向両端縁が外側に膨出した形状となっているため、使用時に第３吸収体が脚の付け根部分に隙間無く密着し、漏れが防止できるようになる。
【００２０】
請求項７に係る本発明として、前記吸収性物品の使用面側に長手方向に沿って立体ギャザーが形成されるとともに、該立体ギャザーは股下部において前記第３吸収体の側縁よりも外側位置であって、かつ前記第２吸収体の脚周り用吸収体部分の上面を縦断するように配置されている請求項１〜６いずれかに記載の吸収性物品が提供される。
【００２１】
上記請求項７記載の本発明では、立体ギャザーが、股下部において前記第３吸収体の側縁よりも外側位置であって、かつ前記第２吸収体の脚周り用吸収体部分の上面を縦断するように配置されているため、使用時に前記第２吸収体が脚周りに折れ曲がることにより、第３吸収体の幅方向両側部で立体ギャザーがポケット状に形成され、該ポケット部分で体液を滞留して吸収体に吸収させることができる。
【００２２】
請求項８に係る本発明として、前記吸収性物品の裏面側中央に、長手方向に沿って所定幅で本体ズレ止め粘着剤層が形成されるとともに、股下部に相当する部位において左右それぞれに、外方側端部が前記裏面シートに剥離不能に固着されたショーツ固定用フラップが設けられるとともに、該ショーツ固定用フラップの先端部に粘着剤又は機械的ファスナー手段が設けられ、左右対のショーツ固定用フラップの先端同士が接合可能となっている請求項１〜７いずれかに記載の吸収性物品が提供される。
【００２３】
上記請求項８記載の本発明では、股下部に相当する部位において左右それぞれに、外方側端部が前記裏面シートに剥離不能に固着されたショーツ固定用フラップが設けられるとともに、該ショーツ固定用フラップの先端部に粘着剤又は機械的ファスナー手段が設けられ、左右対のショーツ固定用フラップの先端同士が接合可能となっているため、前記第２吸収体が折れ曲がった状態を維持でき、脚周りへのフィット性が向上できる。
【００２４】
請求項９に係る本発明として、前記第２吸収体の脚周り用吸収体部分の少なくとも先端側部分に、該脚周り用吸収体部分の上面を覆う撥水性不織布が配設されている請求項１〜８いずれかに記載の吸収性物品が提供される。
【００２５】
請求項１０に係る本発明として、前記第２吸収体の脚周り用吸収体部分の少なくとも先端側部分に、該脚周り用吸収体部分の上面から裏面にかけて不透液性フィルムが配設されている請求項１〜８いずれかに記載の吸収性物品が提供される。
【００２６】
上記請求項９、１０記載の本発明は、前記第２吸収体の脚周り用吸収体部分については、股下部分の中央部などで吸収した体液を内部で拡散させる機能のみを持たせるものと考え、脚周り用吸収体部分に拡散された体液が逆戻りするのを防止するためのものである。
【００２７】
請求項１１に係る本発明として、前記第２吸収体は、中央に間を空けた状態で、左右それぞれの側に分割して配置されている請求項１〜１０いずれかに記載の吸収性物品が提供される。
【００２８】
請求項１２に係る本発明として、少なくとも股下部分において、前記第１吸収体の密度が第２吸収体の密度よりも高く設定されている請求項１〜１１いずれかに記載の吸収性物品が提供される。
【００２９】
請求項１３に係る本発明として、前記第１吸収体と第２吸収体との間であって、前記第１吸収体の長手方向に沿って拡散性の高い部材が配設されている請求項１〜１２いずれかに記載の吸収性物品が提供される。
【００３０】
上記請求項１１〜１３記載の本発明は、第２吸収体に吸収した体液をできる限り素早く第１吸収体へ移行させ、第２吸収体の幅方向、特に脚周り用吸収体部分へ拡散するのを低減するための手段を示したものである。
【００３１】
請求項１４に係る本発明として、前記第１吸収体と前記第２吸収体との積層領域又は前記第３吸収体の配設領域において、上面側からエンボスが施されている請求項１〜１３いずれかに記載の吸収性物品が提供される。
【００３２】
上記請求項１４記載の本発明は、吸収体同士を接合するために、上面側からエンボスを施したものであり、この場合、前記第２吸収体の折り返りを妨げないようにするため、前記第１吸収体と前記第２吸収体との積層領域又は前記第３吸収体の配設領域にエンボスを施すようにする。
【発明の効果】
【００３３】
以上詳説のとおり本発明によれば、吸収体が脚周りにフィットするように曲がり易くなるとともに、股下部分の中央部の吸収体がヨレ難くなることによって、脚の付け根からの漏れを確実に防止できるようになる。
【発明を実施するための最良の形態】
【００３４】
以下、本発明の実施の形態について図面を参照しながら詳述する。図１は本発明に係る生理用ナプキン１の展開図であり、図２は図１のII−II線矢視図、図３は図１のIII−III線矢視図である。
【００３５】
本発明に係る生理用ナプキン１は、透液性表面シート３と裏面シート２との間に吸収体４が介在され、該吸収体４は装着状態でショーツ内部に位置決めされる吸収体部分４Ａの他に、ショーツＳよりも外部に露出し、着用者の脚付け根部分を覆う左右一対の脚周り用吸収体部分４Ｂを備えたものである。
【００３６】
前記生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４をそれぞれ囲繞するクレープ紙と、前記吸収体４の略側縁部を起立基端とし、かつ少なくとも体液排出部Ｈから前後方向に所定の区間内において表面側に突出して設けられた左右一対の立体ギャザーＢＳ、ＢＳとから主に構成され、かつ前記吸収体４の周囲においては、前記不透液性裏面シート２と透液性表面シート３又は前記サイド不織布７との外縁部がホットメルトなどの接着剤やヒートシール等の接着手段によって接合され、体液排出部Ｈの両側部には、前記第２吸収体４２の側部と、前記不透液性裏面シート２及びサイド不織布７の積層部分とによって側方に突出する脚周り用フラップＷ、Ｗが形成されているとともに、これよりも臀部側に位置する部分にヒップホールド用フラップＷＢ、ＷＢが形成されている。
【００３７】
以下、さらに前記生理用ナプキン１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３８】
前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３９】
前記不透液性裏面シート２と表面シート３との間に介在される吸収体４は、前記生理用ナプキン１の略長手方向全長に亘って配置される第１吸収体４１と、前記第１吸収体４１の使用面側であって着用者の股下部に相当する部位に、側端部が前記第１吸収体４１の両側縁よりも外部に突出するとともに、該外部に突出した吸収体部分が脚周り用吸収体部分４Ｂを構成する第２吸収体４２とから構成される。
【００４０】
また、前記第２吸収体４２の使用面側であって、着用者の股下部に相当する部位に、前記第１吸収体４１の両側縁よりも幅広でかつ前記第２吸収体４２より幅狭の寸法で配置された第３吸収体４３が備えられている。
【００４１】
前記吸収体４は、綿状パルプからなるものが好ましい。特には、エアレイド吸収体を用いるのが望ましい。吸収体４としてエアレイドを用いることで瓢箪型などの形状が形成し易いとともに、吸収体にコシの違いをもたせ易くなる。前記綿状パルプ中に高吸水性樹脂を混入したもの、或いはパルプ中に化学繊維を混入させるとともに、高吸水性樹脂を混入したものを使用することもできる。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００４２】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００４３】
前記第１吸収体４１、第２吸収体４２及び第３吸収体４３は、図示のように、形状保持、および経血等を速やかに拡散させるとともに、一旦吸収した経血等の逆戻りを防止するために、それぞれクレープ紙５１、５２、５３によって囲繞するのが望ましい。
【００４４】
一方、前記透液性表面シート３の幅寸法は、図示例では、図２の横断面図に示されるように、第３吸収体４３の幅よりも若干長めとされ、第３吸収体４３を覆うだけに止まり、前記立体ギャザーＢＳは前記透液性表面シート３とは別のサイド不織布７を用いて構成されている。本発明において、脚周り用フラップＷの表面から体液を吸収させるものであるため前記サイド不織布７としては、親水処理を施した不織布素材を用いるのが良い。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。
【００４５】
前記サイド不織布７は、図２に示されるように、幅方向中間部より外側部分を第２吸収体４２の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部Ｈに相当する吸収体側部位置に脚周り用フラップＷ、Ｗを形成するとともに、これより臀部側位置にヒップホールド用フラップＷＢ、ＷＢを形成している。
【００４６】
一方、前記サイド不織布７の内方側部分はほぼ二重に折り返されるとともに、この二重シート内部に、その高さ方向中間部に両端または長手方向の適宜の位置が固定された糸状弾性伸縮部材１０が配設されるとともに、前記糸状弾性伸縮部材１０の上側部位に複数本の、図示例では２本の糸状弾性伸縮部材１１，１１が両端または長手方向の適宜の位置が固定された状態で配設されている。この二重シート部分は前後端部では、断面Ｚ状に折り畳んで積層された状態で吸収体４側に接着されることによって、前記糸状弾性伸縮部材１０配設部位を屈曲点として、断面く字状に内側に開口を向けたポケットＰ、Ｐを形成しながら表面側に起立する立体ギャザーＢＳ、ＢＳが形成されている。この場合、前記立体ギャザーＢＳの折返し部分の内面側に不透液性のフィルムを内層するようにしてもよい。これによって、ポケットＰからの体液の浸み出しを防止することが可能となる。
【００４７】
本発明に係る生理用ナプキン１では、前記第２吸収体４２の脚周り用吸収体部分４Ｂが脚の付け根に沿って折り返り易くするため、第２吸収体４２として、前記第１吸収体４１よりも剛軟度が低いものを用いている。前記剛軟度とは、ある力を加えたとき、その変形に対する抵抗の度合であり、材料のコシ、こわさ、しなやかさを示す指標値となるものである。
【００４８】
前記剛軟度は、周知の試験法によって測定した値を用いることができ、例えば、JIS L 1018に規定されるカンチレバー法、JIS P 8125に規定されるテーパー法などに基づいて測定することができる。
【００４９】
また、剛軟度の測定法として、４５°カンチレバー法による測定値を使用することもできる。前記４５°カンチレバー法は、材料の剛軟度を測定する試験法の一種で、試験器６０としては、図１３(A)に示されるように、一端が４５°の傾斜面６１とされ、かつ上面６２と下面６３とが平行している水平台で、上面６２の片側にスケール６４を取り付けたものが用いられる。試験方法は、標準的には幅２cm×長さ約１５cmの短冊状試験片を作製し、図１３(B)に示されるように、斜面より徐々に突き出した際に斜面６１に試験片６５の先端が接触した際の突出長さｌ（cm）で剛軟度を評価するものである。
【００５０】
本生理用ナプキン１の使用に際しては、図４に示されるように、吸収体部分４Ａは、生理用ナプキン１の外面側からショーツＳで締め付けられて着用者の股下部分を覆うとともに、脚周り用吸収体部分４Ｂは、ショーツＳのクロッチ部分よりはみ出すとともに、脚の締付力によって折れ曲がり、それぞれ脚の付け根部分を覆うようになる。
【００５１】
次に、各吸収体の形状について説明する。前記第１吸収体４１は、少なくとも、生理用ナプキン１の略長手方向全長に亘って配置されていればよく、図５に示されるように、生理用ナプキン１の全長に亘って略等幅の形状としてもよいが、図１に示されるように、生理用ナプキン１の前後部分は、体液の吸収量を確保するため、生理用ナプキン１の外形形状に沿って瓢箪形の形状とすることが好ましい。第１吸収体４１を瓢箪形とすることによって、第１吸収体４１の排血口付近のくびれに沿って第２吸収体４２が脚側に折れ曲がるので、脚周りのカーブにフィットし易く、また脚周りに違和感を感じにくくなる。
【００５２】
前記第２吸収体４２は、図１、図５に示されるように、平面視で幅方向両端縁の中央部が、脚の丸みに沿うように窪ませた曲線形状とすることが好ましい。これにより、第２吸収体４２の幅方向両端縁が脚の曲線にフィットし、確実に横漏れが防止できるようになる。
【００５３】
また、前記第２吸収体４２の前後端縁は、図５に示されるように、直線形状としてもよいが、図１に示されるように、中央部を内方側に窪ませた曲線形状とすることが好ましい。これにより、股下部分の吸収体４は、幅方向に対して中央部の剛軟度が最も低くなり、使用時に、幅方向中央部を基点として使用面側に凸に湾曲した形状に変形し、吸収体４が身体に密着した状態を維持できるようになる。
【００５４】
前記第３吸収体４３の幅方向両端縁は、図５に示されるように、直線形状であってもよいが、図１に示されるように、外側に膨出した形状とされることが好ましい。これにより、使用時に、第３吸収体４３を脚の付け根部分に隙間無く密着させることが可能となる。
【００５５】
前記立体ギャザーＢＳは、図１に示されるように、股下部において前記第３吸収体４３の側縁よりも外側位置であって、かつ前記第２吸収体４２の脚周り用吸収体部分４Ｂの上面を縦断するように配置されることが好ましい。これにより、図４に示されるように、使用時に、前記第２吸収体４２が脚周りに曲がることにより、第３吸収体４３の外側において立体ギャザーＢＳがポケット状となり、漏れが確実に防止できるようになる。このように立体ギャザーＢＳのポケット構造が実現されるように、その断面形状は、図４の図示例のように外側二つ折り形状の他、図６に示されるように、(a)内側二つ折り形状、(b)三つ折り形状、(c)Ｔ字形状としてもよい。
【００５６】
図７は、ショーツＳへ固定するための形態例を示したものである。本生理用ナプキン１をショーツＳへ固定するために、生理用ナプキン１の裏面側中央に、長手方向に沿って所定幅で本体ズレ止め粘着剤層２０を形成するようにする。さらに、股下部に相当する部位において左右それぞれに、外方側端部が前記裏面シート２に剥離不能に固着された固着部２２を有するショーツ固定用フラップ２１が設けられるとともに、該ショーツ固定用フラップ２１の先端部に粘着剤又は機械的ファスナーによる接合手段２３が設けられ、左右対のショーツ固定用フラップ２１、２１の先端同士が接合可能に形成されている。前記ショーツ固定用フラップ２１の先端同士が接合可能に形成されるため、使用時に、脚周り用吸収体部分４Ｂを外面側に引っ張られて湾曲するため確実に脚周りにフィットさせることができるとともに、脚周り用吸収体部分４Ｂが折れ曲がった状態を維持できるようになる。
【００５７】
前記本体ズレ止め粘着剤層２０を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００５８】
図８は、脚周り用吸収体部分４Ｂの他の形態例を示したものである。前記第２吸収体４２の脚周り用吸収体部分４Ｂについては、上述したように、脚の付け根から漏れ出た体液を表面から吸収する機能を持たせるように、親水性のサイド不織布７で覆われたものとしてもよいが、股下部分の中央部などで吸収した体液を内部で拡散させる機能のみを持たせるものと考え、脚周り用吸収体部分４Ｂに拡散された体液が逆戻りするのを防止するための手段を施すようにしてもよい。
【００５９】
具体的には、第２吸収体４２の脚周り用吸収体部分４Ｂの少なくとも先端側部分に、図８に示されるように、該脚周り用吸収体部分４Ｂの上面を覆う撥水性不織布２５を配設するか、図９(a)に示されるように、脚周り用吸収体部分４Ｂの上面から裏面にかけて不透液性フィルム２６を配設するか、又は図９(b)に示されるように裏面シート２を上面側に巻き込んで配設するようにする。
【００６０】
ところで、第２吸収体４２に吸収した体液が、第１吸収体４１へ移行するよりも、第２吸収体４２の内部で脚周り用吸収体部分４Ｂに拡散してしまうことが懸念される。このため、第２吸収体４２に吸収した体液をできる限り素早く第１吸収体４１へ移行させ、第２吸収体４２の幅方向、特に脚周り用吸収体部分４Ｂへ拡散するのを低減するため、以下の手段を用いることができる。
【００６１】
先ず第１の手段としては、図１０に示されるように、第２吸収体４２が、中央に間を空けた状態で、左右それぞれの側に分割して配置されるようにすることができる。これにより、股下部分の中央部で吸収した体液が速やかに第１吸収体４１に沿って縦方向に拡散するようになる。このとき、左右それぞれの側に分割して配置される第２吸収体４２Ａ、４２Ｂは、ズレを防止するため、第１吸収体４１と、ホットメルト接着剤による接着やエンボス付与による接合をしておく必要がある。
【００６２】
第２の手段としては、少なくとも股下部分において、第１吸収体４１の密度が第２吸収体４２の密度よりも高くなるように設定する。第１吸収体４１を高密度に設定することにより、毛管現象による体液の浸透力が増し、第１吸収体４１への吸収が良好となる。第１吸収体４１の密度を高くするには、吸収体の目付を高くしたり、エンボスを施したりすればよい。
【００６３】
第３の手段としては、図１１に示されるように、第１吸収体４１と第２吸収体４２との間であって、第１吸収体４１の長手方向に沿って拡散性の高い部材２７、例えば親水度の高い吸水シートなどを配設することができる。前記高拡散性部材２７を配設することにより、第２吸収体４２で幅方向に拡散するよりも、長手方向に沿って拡散するようになり、第１吸収体４１の広い範囲で体液を吸収できるようになる。なお、前記高拡散性部材２７は、第２吸収体４２と第３吸収体４３との間に配設することもできる。
【００６４】
前記吸収体４は、それぞれズレを防止するため、各種の手段によって接合することができる。例えば、図１２に示されるように、エンボス線２８を付与することによって各吸収体を接合する場合、第２吸収体４２の折り返りを妨げないように、第１吸収体４１と第２吸収体４２との積層領域又は第３吸収体４３の配設領域において、上面側からエンボスを施すようにする。
【００６５】
〔他の形態例〕
(1)上記形態例では、吸収体４を生理用ナプキン１の略長手方向全長に亘って配置される第１吸収体４１と、第１吸収体４１の使用面側であって着用者の股下部に相当する部位に、側端部が第１吸収体４１の両側縁よりも外部に突出するとともに、該外部に突出した吸収体部分が脚周り用吸収体部分４Ｂを構成する第２吸収体４２と、さらに第２吸収体４２の使用面側であって、着用者の股下部に相当する部位に、第１吸収体４１の両側縁よりも幅広でかつ第２吸収体４２より幅狭の寸法で配置された第３吸収体４３とから構成するようにしたが、前記第３吸収体４３は省略することが可能である。
(2)上記形態例では、生理用ナプキン１には、少なくとも体液排出部Ｈから前後方向に所定の区間内において表面側に突出して設けられた左右一対の立体ギャザーＢＳ、ＢＳが形成されるようになっているが、該立体ギャザーＢＳ、ＢＳが形成されない生理用ナプキンに対しても同様に適用することができる。
【図面の簡単な説明】
【００６６】
【図１】本発明に係る生理用ナプキン１の展開図である。
【図２】図１のII−II線矢視図である。
【図３】図１のIII−III線矢視図である。
【図４】使用状態を示す断面図である。
【図５】吸収体４の配設形態を示す平面図である。
【図６】立体ギャザーＢＳの形態例を示す断面図である。
【図７】ショーツへの固定手段を示す、生理用ナプキン１の裏面図である。
【図８】脚周り用吸収体部分４Ｂの他の形態例を示す生理用ナプキン１の平面図である。
【図９】脚周り用吸収体部分４Ｂの他の形態例を示す断面図（図８のIX−IX線矢視図）である。
【図１０】脚周り用吸収体部分４Ｂへの拡散低減手段を示す吸収体４の配設形態を示す平面図である。
【図１１】脚周り用吸収体部分４Ｂへの拡散低減手段を示す吸収体４の配設形態を示す平面図である。
【図１２】吸収体４の接合手段を示す吸収体４の配設形態を示す平面図である。
【図１３】４５°カンチレバー法を示す、(A)は試験器斜視図、(B)は試験要領図である。
【符号の説明】
【００６７】
１…生理用ナプキン、２…不透液性裏面シート、３…透液性表面シート、４…吸収体、４Ａ…吸収体部分、４Ｂ…脚周り用吸収体部分、７…サイド不織布、４１…第１吸収体、４２…第２吸収体、４３…第３吸収体、Ｗ…脚周り用フラップ、ＷＢ…ヒップホールド用状フラップ
【図１】
2008161251.tif 000003
【図２】
2008161251.tif 000004
【図３】
2008161251.tif 000005
【図４】
2008161251.tif 000006
【図５】
2008161251.tif 000007
【図６】
2008161251.tif 000008
【図７】
2008161251.tif 000009
【図８】
2008161251.tif 000010
【図９】
2008161251.tif 000011
【図１０】
2008161251.tif 000012
【図１１】
2008161251.tif 000013
【図１２】
2008161251.tif 000014
【図１３】
2008161251.tif 000015